(57)【特許請求の範囲】
【請求項１】
リール本体の前部に回転自在にロータの１対のロータアームの先端に揺動自在にそれぞれ配置されたベール支持部材に装着され釣糸をスプールに案内するためのスピニングリールの釣り糸案内装置であって、
前記ベール支持部材の一方に一端が固定された固定軸と、
前記固定軸の他端に前記一方のベール支持部材と間隔を隔てて設けられた固定軸カバーと、
前記固定軸に回動自在に支持され、周面に前記釣り糸を案内する案内溝が形成されたラインローラと、
断面が少なくとも釣り糸が接触する部分において接触側の曲率半径が小となる非円形形状であり、前記ベール支持部材の他方と前記固定軸カバーとに両端が固定され、前記スプールの周方向外方に湾曲して配置され、前記釣り糸を前記固定軸カバーを介して前記ラインローラに導くベールと、を備え、
前記ベールの断面は、楕円形状であり、前記楕円の長軸のスプール側が前方側に傾いている、
スピニングリールの釣り糸案内装置。
【請求項２】
前記ベールは、中空の筒状部材で形成される、請求項１に記載のスピニングリールの釣り糸案内装置。
【請求項３】
前記固定軸カバーは中空の円錐形状部材で形成され、
前記固定軸カバーの空洞部に配置され、前記固定軸の一端を固定する固定部材をさらに備える、請求項１又は２に記載のスピニングリールの釣り糸案内装置。
【請求項４】
前記ベールの空洞部と前記固定軸カバーの空洞部とが連通している、請求項３に記載のスピニングリールの釣り糸案内装置。
【請求項５】
前記ベール及び固定軸カバーは一体形成されている、請求項４に記載のスピニングリールの釣り糸案内装置。
【発明の詳細な説明】
【０００１】
【発明の属する技術分野】
本発明は、釣り糸案内装置、特に、ロータの１対のロータアームの先端に揺動自在にそれぞれ配置されたベール支持部材に装着され釣り糸をスプールに案内するためのスピニングリールの釣り糸案内装置に関する。
【０００２】
【従来の技術】
スピニングリールには釣り糸をスプールに案内する釣り糸案内装置が設けられている。釣り糸案内装置は、ロータとともに回転しかつ糸開放姿勢と糸巻き取り姿勢との間で揺動する１対のベール支持部材の先端に設けられている。この釣り糸案内装置は、一方のベール支持部材の先端にその一端が固定された固定軸と、固定軸の他端に固定された固定軸カバーと、固定軸カバーに一端が取り付けられたベールと、ラインローラとを備えている。ベールの他端は他方のベール支持部材の先端に取り付けられている。またラインローラは、固定軸カバーとベール支持部材との間で軸受けを介して固定軸に回転自在に支持されている。
【０００３】
このような釣り糸案内装置を有するスピニングリールでは、釣り糸をスプールに巻き取る際に、ベールを糸巻き取り姿勢側に揺動させハンドルを回す。すると、釣り糸はベールに誘導されて固定軸カバーを介してラインローラの外周面に案内されて接触する。そして、ラインローラに案内されて釣り糸の方向が変えられスプールの外周に巻き取られる。
【０００４】
このような釣り糸案内装置では、スピニングリールの軽量化のために、特開平１１−１７８４８６号公報に開示されているように、ベールを中空の円筒状部材で形成するとともに、固定軸カバーに空洞部を設けたものが知られている。
【０００５】
【発明が解決しようとする課題】
前記従来の釣り糸案内装置のように、ベールを円筒状部材で形成すると、ベールの外径が大きくなる。ベールの外径が大きくなると、釣り糸とベール外周面との接触面積が大きくなり、ベールによって釣り糸がラインローラに誘導される際の摩擦が大きくなる。また、実際の釣行時はベール表面が濡れた状態であるため、表面張力によっても糸がベールに張り付く。このように釣り糸とベール外周面との接触面積が大きいと摩擦や表面張力の影響で釣り糸をベールによってラインローラにスムーズに誘導しにくくなる。
【０００６】
本発明の課題は、スピニングリールの軽量化を図るとともに、釣り糸をラインローラにスムーズに案内できるようにすることにある。
【０００７】
【課題を解決するための手段】
発明１に係るスピニングリールの釣り糸案内装置は、ロータの１対のロータアームの先端に揺動自在にそれぞれ配置されたベール支持部材に装着され釣糸をスプールに案内するための装置であって、固定軸と、固定軸カバーと、ラインローラと、ベールとを備えている。固定軸は、ベール支持部材の一方の先端に一端が固定されている。固定軸カバーは、固定軸の他端に一方のベール支持部材と間隔を隔てて設けられている。ラインローラは、固定軸に回動自在に支持され、周面に釣り糸を案内する案内溝が形成されている。ベールは、断面が少なくとも釣り糸が接触する部分において接触側の曲率半径が小となる非円形形状であり、ベール支持部材の他方と固定軸カバーとに両端が固定され、スプールの周方向外方に湾曲して配置され、釣り糸を固定軸カバーを介してラインローラに導く。ベールの断面は、少なくともラインローラ近傍において楕円形状のであり、楕円の長軸のスプール側が前方側に傾いている。
【０００８】
このような釣り糸案内装置では、ハンドルを回転させてベールが糸巻き取り姿勢になると、ベールの釣り糸案内側に釣り糸が接触し、ベールから固定軸カバーを介してラインローラに案内される。そして、ラインローラに案内されて釣り糸の方向が変えられスプール外周に巻き取られる。ベールは、少なくともラインローラ近傍では、釣り糸の接触する側で曲率半径が小となる非円形形状であるので、釣り糸との接触面積が小さくなる。このため、釣り糸は、ベール表面において摩擦及び表面張力の影響を受けにくくなり、スムーズにラインローラに誘導される。
【０００９】
また、ベールは、ラインローラ近傍において、断面が楕円形状であり、しかも楕円の長軸のスプール側が前方に傾いているため、釣り糸との接触面積が小さくなる。このため、釣り糸は、ベール表面において摩擦及び表面張力の影響を受けにくくなり、スムーズにラインローラに誘導される。
【００１０】
発明２に係るスピニングリールの釣り糸案内装置は、発明１の装置において、ベールは、中空の筒状部材で形成されている。この場合には、ベールが中空の筒状部材で形成されているため、中実の部材で形成される場合に比較して、スピニングリールの軽量化を図れる。
【００１１】
発明３に係るスピニングリールの釣り糸案内装置は、発明１又は２の装置において、固定軸カバーは、中空の円錐形状部材で形成され、固定軸カバーの空洞部に配置され固定軸の一端を固定する固定部材をさらに備えている。この場合には、固定軸カバーが中空の円錐形状部材で形成され、その空洞部に固定部材が配置されている。この固定部材は、固定軸カバーの空洞部にラインローラ側から挿入されて、固定軸の一端を固定する。ここでは、固定軸カバーは、ベールの一端からラインローラに向かって漸次外径が大きくなる円錐形状で形成されているため、釣り糸の誘導がさらにスムーズになる。また、固定軸カバーが中空の部材で形成されているため、スピニングリールの軽量化をさらに図ることができる。
【００１２】
発明４に係るスピニングリールの釣り糸案内装置は、発明３に記載の装置において、ベールの空洞部と固定軸カバーの空洞部とが連通している。この場合には、ベールと固定軸カバーの空洞部とが連通しているため、空洞部の体積が増加しさらに軽量化できる。
【００１３】
発明５に係るスピニングリールの釣り糸案内装置は、発明４に記載の装置において、ベール及び固定軸カバーは一体形成されている。この場合には、装置を構成する部材の数を減らすことができるので、組立が容易になり、工数を低減できる。
【００１４】
【発明の実施の形態】
〔スピニングリールの構成〕
以下、本発明の一実施形態について図１及び図２を参照しつつ説明する。
【００１５】
図１は、本発明の一実施形態を採用したスピニングリールの側面図であり、図２は、釣り糸案内装置のラインローラ周辺部の拡大断面図である。
【００１６】
図１において、本発明の一実施形態を採用したスピニングリールは、ハンドル１を有するリール本体２と、リール本体２の前部に回転自在に支持されたロータと、ロータ３の前部に配置され釣り糸Ｌが巻き付けられるスプール４とを備えている。
【００１７】
リール本体２の上部には、スピニングリールを釣竿に取り付けるための竿取付部２ａが形成されている。また、リール本体２の内部には、ロータ３をハンドル１の回転に連動させて回転させるためのロータ駆動機構や、スプール４を回転軸芯に沿って前後方向に移動させてスプール４に釣り糸を均一に巻き取るためのオシレーティング機構等が設けられている。
【００１８】
ロータ３は、リール本体２に回転自在に支持された円筒部３ａと、円筒部３ａの後部に互いに対向して配置された１対のロータアーム３ｂ（一方のみ図示）とを有している。ロータアーム３ｂは、回転軸芯に沿って前方に延びている。１対のロータアーム３ｂの先端には、１対のベール支持部材８（一方のみ図示）が揺動自在に装着されている。このベール支持部材８の先端に釣り糸案内装置７が装着されている。ベール支持部材８は、一端がロータアーム３ｂの先端に揺動自在に装着され、他端付近にネジ孔８ａを有する。
【００１９】
〔釣り糸案内装置の構成〕
釣り糸案内装置７は、図１及び図２に示すように、一端がベール支持部材８の先端に固定された固定軸１２と、固定軸１２の外周に沿って配置されたラインローラ９と、固定軸１２の他端が固定された固定部材１３と、固定部材１３の側面に固定され、一方のベール支持部材８の先端にラインローラ９を挟んで対向して配置された固定軸カバー１０と、スプール４の周方向外方に湾曲して配置され、固定軸カバー１０と他方のベール支持部材（図示せず）とを連結するベール１１とを備えている。
【００２０】
固定軸１２は、軸方向に貫通するネジ孔１２ａを有する筒状部材であり、固定部材１３と一体に形成される。固定軸１２は、ネジ孔１２ａをネジ孔８ａに合致させて固定ネジ５６により、ベール支持部材８に固定されている。また、固定部材１３は、固定軸カバー１０の開口部付近に接着やカシメ固定などの適宜の固定手段により固定される。
【００２１】
本実施形態では、固定軸カバー１０とベール１１とは、ステンレス合金やアルミニウム合金などのパイプからなる円筒状の部材から一体に形成される。固定軸カバー１０は、図１及び図２に示すように、円筒状部材の一端を略円錐形状に押し広げて形成されている。ベール１１の断面は、図３（Ｂ）に示すように、楕円形状に形成される。同図（Ｂ）は、楕円の長軸が前方に傾いた場合、即ち長軸の方向がリール本体２前方に傾いた場合である。このように形成したベール１１では、ベール１１の外周面が釣り糸Ｌと接触する部分で曲率半径が小さくなっている（曲率が大きい）ため、釣り糸Ｌとの接触面積が小さくなる。
【００２２】
ラインローラ９は、固定軸１２に軸受１４を介して回転自在に固定されている。軸受１４は、ベール支持部８と固定軸カバー１０との間で固定軸１２に嵌められている。軸受１４の一端はベール支持部材８に当接し、他端は固定軸カバー１０との間に配置されたスペーサー１５に当接している。これにより軸受１４が軸方向に位置決めされている。
【００２３】
また、ラインローラ９は、軸受１４の外周面に固定軸カバー方向に移動不能に嵌めこまれ、釣り糸をスプール４に案内する案内部である案内溝９ａが外周面に形成されている。ラインローラ９は、軸受１４の角部を係止するように内方に突出する係止部９ｂを内周面に有している。これにより、ラインローラ９は、固定軸カバー１０方向に移動不能となっており、固定軸カバー１０との間に僅かな隙間が常に形成されるようになっている。ラインローラ９のベール支持部材８側の端面と、ベール支持部材８との間にはポリアセタール樹脂等の合成樹脂製のスラスト受けリング１６が配置されている。スラスト受けリング１６は、ラインローラ９がベール支持部材８と直接接触するのを防止している。
【００２４】
このような構成の釣り糸案内装置７では、ベール１１が楕円断面の中空の円筒状の部材で構成されており、かつ楕円の長軸の向きが、スプール４の回転軸芯と垂直な面に平行であるか、または、リール本体１前方に傾いている。このため、ベール１１の外周面が釣り糸Ｌと接触する部分で曲率半径が小さくなり（曲率が大きくなり）、釣り糸Ｌとの接触面積が小さくなる。この結果、釣り糸Ｌが、ベール表面において摩擦や表面張力の影響を受けにくくなり、スムーズにラインローラ９に誘導される。
【００２５】
〔リールの操作及び動作〕
このように構成されたスピニングリールで釣り糸を巻き取る際には、ハンドル１によりロータ３を回転させると、釣り糸案内装置７が糸案内姿勢側（図１の位置）に揺動される。このとき、釣り糸Ｌはベール１１の外周上に、図３（Ｂ）に示すように配置される。ロータ３の回転と共に釣り糸案内装置７も回転し、釣り糸Ｌはベール１１の外周上を固定軸カバー１０を介してラインローラ９へと誘導される。釣り糸Ｌは、さらに案内溝９ａに誘導されて、案内溝９ａを介してスプールに巻き取られる。
【００２６】
ベール１１の断面が図３（Ａ）に示した真円状である場合は、ベール１１と釣り糸Ｌとの接触面積が大きく、摩擦も大きい。一方、本実施形態では、図３（Ｂ）に示したように、ベール１１の断面を楕円形状に形成している。そのため、釣り糸Ｌとの接触部で曲率半径が小さく、接触面積が小さくなり、釣り糸Ｌに対する摩擦及び表面張力も小さくなる。これにより、釣り糸Ｌがベール１１外周上をラインローラ９へとスムーズに誘導されるようになる。
【００２７】
〔他の実施形態〕
（ａ）前記実施形態では、固定軸カバー１０を、図２に示すように、円錐の頂点が固定軸１２の延長上から偏奇した略円錐形状に形成したが、図４に示すように、円錐の頂点が固定軸１２の延長上に位置するような略円錐形状に形成してもよい。
（ｂ）前記実施形態では、ベール１１及び固定軸カバー１０を円筒状部材から一体に形成したが、これらを別体で形成して、カシメや溶接等で固定してもよい。この場合、それぞれの部材の製造が容易になる。
（ｃ）上記別体で形成するベール１１を、図５に示すように中実の線状部材を用いて形成してもよい。
（ｄ）上記別体で形成する固定軸カバー１０を、図６に示すように中実の部材により形成し、固定軸カバー１０、固定部材１３及び固定軸１２を一体として形成してもよい。この場合、上記２つの他の実施形態と比較して、釣り糸案内装置７を構成する部品点数を削減することができる。
（ｅ）前記実施形態のように、ベール全体の断面を楕円形状に形成する必要はなく、釣り糸が接触するラインローラ側のみを楕円形状としてもよい。
【００２８】
【発明の効果】
本発明に係る釣り糸案内装置では、ベールは少なくともラインローラ近傍において、釣り糸と接触する側の曲率が小となるように形成すれば、釣り糸との接触面積が小さくなる。その結果、釣り糸がベール表面において摩擦や表面張力の影響を受けにくくなり、釣り糸をラインローラにスムーズに誘導することができる。またベールを中空の筒状部材で形成した場合、装置を軽量化するとともに、釣り糸をラインローラにスムーズに誘導することができる。
【図面の簡単な説明】
【図１】  本発明の一実施形態を採用した釣り糸案内装置を備えたスピニングリール。
【図２】  本発明の一実施形態を採用した釣り糸案内装置の拡大断面図。
【図３】  そのベールの断面図。
【図４】  他の実施形態の図２に相当する図。
【図５】  他の実施形態の図２に相当する図。
【図６】  他の実施形態の図２に相当する図。
【符号の説明】
３    ロータ
４    スプール
７    釣り糸案内装置
８    ベール支持部材
９    ラインローラ
９ａ  案内溝
１０  固定軸カバー
１１  ベール
１２  固定軸
１３  固定部材
【図１】
0004402787.tif 000002
【図２】
0004402787.tif 000003
【図３】
0004402787.tif 000004
【図４】
0004402787.tif 000005
【図５】
0004402787.tif 000006
【図６】
0004402787.tif 000007